(57)【要約】【課題】一軸型耕耘機の耕耘軸部を収納した状態でも、容易に移動できるようにする。【解決手段】走行軸に兼用される耕耘軸２を備えた一軸型耕耘機１の収納に用いられ、当該一軸型耕耘機１の耕耘軸部を収納する収納ケース１３であって、一軸型耕耘機１は、機体走行方向に対する後方部位に、圃場に接触して走行抵抗を発生させる抵抗棒１０を備える一方、収納ケース１３は、機体走行方向に対する前方部位に、一軸型耕耘機１の耕耘軸部を収納した状態で移動するための移動用車輪１６を備える。【選択図】図２
2010273545.tif 000002
【特許請求の範囲】
【請求項１】
走行軸に兼用される耕耘軸を備えた一軸型耕耘機の収納に用いられ、当該一軸型耕耘機の耕耘軸部を収納する収納ケースであって、
前記一軸型耕耘機は、機体走行方向に対する後方部位に、圃場に接触して走行抵抗を発生させる抵抗棒を備える一方、前記収納ケースは、機体走行方向に対する前方部位に、一軸型耕耘機の耕耘軸部を収納した状態で移動するための移動用車輪を備えることを特徴とする一軸型耕耘機用収納ケース。
【発明の詳細な説明】
【技術分野】
【０００１】
本発明は、走行軸に兼用される耕耘軸を備えた一軸型耕耘機の収納に用いられ、当該一軸型耕耘機の耕耘軸部を収納する収納ケースに関する。
【背景技術】
【０００２】
一軸型耕耘機の耕耘軸部を収納する収納ケースが知られている。例えば、特許文献１、２に示される収納ケースは、上方が開口した箱状に形成されており、一軸型耕耘機の耕耘軸部を収納する際には、一軸型耕耘機を持ち上げ、収納ケースの上方開口部を介して、耕耘軸部を収納ケース内に収納するようになっている。
【先行技術文献】
【特許文献】
【０００３】
【特許文献１】特許第４０３１９３５号公報
【特許文献２】特許第４１３９２５１号公報
【発明の概要】
【発明が解決しようとする課題】
【０００４】
しかしながら、特許文献１、２に示される収納ケースでは、一軸型耕耘機の耕耘軸部を収納した状態で移動することを何ら考慮しておらず、移動に際しては、一軸型耕耘機及び収納ケースを持ち上げる必要があるので、移動時の作業性に劣り、特に、機体重量が重い中型、大型クラス（例えば、２５ｋｇ以上）の一軸型耕耘機に適用した場合、一人だけでは収納状態の一軸型耕耘機を移動させることができなくなるという問題があった。
【課題を解決するための手段】
【０００５】
本発明は、上記の如き実情に鑑みこれらの課題を解決することを目的として創作されたものであって、走行軸に兼用される耕耘軸を備えた一軸型耕耘機の収納に用いられ、当該一軸型耕耘機の耕耘軸部を収納する収納ケースであって、前記一軸型耕耘機は、機体走行方向に対する後方部位に、圃場に接触して走行抵抗を発生させる抵抗棒を備える一方、前記収納ケースは、機体走行方向に対する前方部位に、一軸型耕耘機の耕耘軸部を収納した状態で移動するための移動用車輪を備えることを特徴とする。
【発明の効果】
【０００６】
請求項１の発明によれば、一軸型耕耘機の耕耘軸部を収納した状態でも、移動用車輪を用いて容易に移動することができる。しかも、移動用車輪は、抵抗棒と反対側に設けられているので、抵抗棒を外さなくても、機体の抵抗棒側を持ち上げれば、移動用車輪を用いて容易に移動することが可能になる。
【図面の簡単な説明】
【０００７】
【図１】一軸型耕耘機の耕耘軸部が収納された状態（収納口カバー開）を示す収納ケースの前方斜視図である。
【図２】一軸型耕耘機の耕耘軸部が収納された状態（収納口カバー開）を示す収納ケースの後方斜視図である。
【図３】一軸型耕耘機の耕耘軸部が収納された状態（収納口カバー閉）を示す収納ケースの前方斜視図である。
【図４】一軸型耕耘機の耕耘軸部が収納された状態（収納口カバー閉）を示す収納ケースの後方斜視図である。
【図５】収納ケース（収納口カバー開）の斜視図である。
【図６】（Ａ）〜（Ｄ）は収納ケース（収納口カバー開）の平面図、正面図、側面図及び背面図である。
【図７】収納ケース（収納口カバー閉）の斜視図である。
【図８】（Ａ）〜（Ｄ）は収納ケース（収納口カバー閉）の平面図、正面図、側面図及び背面図である。
【図９】一軸型耕耘機の耕耘軸部が収納される過程を示す第二実施形態に係る収納ケースの前方斜視図である。
【図１０】一軸型耕耘機の耕耘軸部が収納される過程を示す第二実施形態に係る収納ケースの後方斜視図である。
【図１１】一軸型耕耘機の耕耘軸部が収納された状態を示す第二実施形態に係る収納ケースの前方斜視図である。
【図１２】一軸型耕耘機の耕耘軸部が収納された状態を示す第二実施形態に係る収納ケースの後方斜視図である。
【発明を実施するための形態】
【０００８】
以下、本発明の実施の形態について、図面に基づいて説明する。図１〜図４において、１は一軸型耕耘機であって、該一軸型耕耘機１は、走行軸に兼用される耕耘軸２を備えた歩行型の耕耘機であり、耕耘軸２を軸支するミッションケース３と、ミッションケース３から後方上方に向けて延出する折り畳み自在なハンドル４と、ミッションケース３の上方に搭載されるガスエンジン５とを備えて構成されている。
【０００９】
ガスエンジン５は、ガスボンベ保持部６にセットされるカセット型のガスボンベ（図示せず）から供給されるガスを燃料として動作するように構成されている。そして、ガスエンジン５が発生する動力は、ベルトカバー７内のベルト伝動機構（図示せず）を介してミッションケース３に入力される。ベルトカバー７内のベルト伝動機構は、ベルトテンションクラッチを構成しており、ハンドル４の左側に設けた主クラッチレバー８の操作に応じて動力伝動を入り切り可能である。また、ハンドル４の右側には、ガスエンジン５の回転数を調節するためのアクセルレバー９が設けられている。
【００１０】
耕耘軸２には、耕耘軸２の回転に応じて圃場を耕耘する複数の耕耘爪２ａが取付けられている（以下、耕耘軸２及び耕耘爪２ａを耕耘軸部と称する）。また、機体走行方向に対する後方部位には、圃場に接触して走行抵抗を発生させる抵抗棒１０が設けられており、この走行抵抗で機体走行を抑制することにより適度な耕深が得られるようになっている。
【００１１】
一軸型耕耘機１は、耕耘軸部の上方を覆うフェンダ１１を備えている。フェンダ１１は、ミッションケース３から左右に張り出すように設けられ、耕耘土の飛散を防いでいる。また、フェンダ１１の前端部には、機体を持ち上げるための把手部１２が設けられている。
【００１２】
図１〜図８において、１３は収納ケースであって、該収納ケース１３は、一軸型耕耘機１の耕耘軸部を収納するためのものであり、耕耘軸部の上方を覆う上面部１３ａと、耕耘軸部の下方を覆う下面部１３ｂと、耕耘軸部の前方を覆う前面部１３ｃと、耕耘軸部の後方を覆う後面部１３ｄと、耕耘軸部の左側方を覆う左側面部１３ｅと、耕耘軸部の右側面部を覆う右側面部１３ｆとを備えるボックス形状となっている。
【００１３】
収納ケース１３の後面部１３ｄには、開閉自在な収納口１３ｇが構成されている。本実施形態では、収納口１３ｇの下端部にヒンジ１４を介して収納口カバー１５を設け、ヒンジ１４を支点とする収納口カバー１５の上下回動操作にもとづいて収納口１３ｇを開閉させるが、収納口カバー１５は、観音開き式としてもよいし、着脱式としてもよい。
【００１４】
このような収納ケース１３によれば、収納口１３ｇを開けた状態で一軸型耕耘機１を前進させながら、その耕耘軸部を収納ケース１３内に収納することが可能となる。これにより、一軸型耕耘機１の耕耘軸部を収納する際に、一軸型耕耘機１を持ち上げる必要がなくなるので、中型、大型クラスの一軸型耕耘機１であっても、容易に収納や取り出しを行うことができる。しかも、後面部１３ｄの収納口１３ｇは、収納口カバー１５で閉じることができるので、収納ケース１３内に落下した泥などがケース外にこぼれる不都合もない。
【００１５】
また、収納口カバー１５には、開閉に際して一軸型耕耘機１の本体や抵抗棒１０との干渉を避けるための切欠き部１５ａが形成されている。このようにすると、一軸型耕耘機１の耕耘軸部を収納する際に、いちいち抵抗棒１０を取り外す必要がなくなるので、収納時の作業性をさらに向上させることができる。
【００１６】
また、収納ケース１３の上面部１３ａには、一軸型耕耘機１の本体を導き入れるための切欠き部１３ｈが形成されている。そして、収納ケース１３に一軸型耕耘機１の耕耘軸部を収納した場合、収納ケース１３の上面部１３ａがフェンダ１１の上方にオーバーラップするようになっている。このようにすると、フェンダ１１を利用して収納ケース１３を一軸型耕耘機１に一体的に保持することができる。つまり、収納ケース１３に耕耘軸部を収納した状態で一軸型耕耘機１を持ち上げると、上面部１３ａがフェンダ１１に係合することにより、収納ケース１３も一体的に持ち上げられることになる。その結果、一軸型耕耘機１と収納ケース１３との間に別途連結具を設ける場合に比べ、部品点数の削減やコストダウンを図ることが可能になる。
【００１７】
また、収納ケース１３の前端部には、収納ケース１３に一軸型耕耘機１の耕耘軸部を収納したとき、把手部１２を収納ケース１３外に突出させるための把手突出孔１３ｉが形成されている。このようにすると、収納ケース１３に耕耘軸部を収納した状態であっても、把手部１２を利用して一軸型耕耘機１を容易に持ち上げることができる。
【００１８】
また、収納ケース１３には、一軸型耕耘機１の耕耘軸部を収納した状態で移動するための移動用車輪１６が設けられている。移動用車輪１６は、例えば、左右一対の二輪式とされると共に、収納ケース１３の前後何れかに設けられ、移動時には、移動用車輪１６の他側を持ち上げることにより、移動用車輪１６を利用して一軸型耕耘機１を容易に移動させることが可能になるが、ここで、一軸型耕耘機１は、機体走行方向に対する後方部位に抵抗棒１０を備える一方、収納ケース１３は、機体走行方向に対する前方部位に移動用車輪１６を備えるようにしてある。このようにすると、移動用車輪１６を抵抗棒１０と反対側に設けることにより、抵抗棒１０を外さなくても、機体の抵抗棒１０側を持ち上げれば、移動用車輪１６を用いて容易に移動することが可能になる。
【００１９】
叙述の如く構成された本実施形態によれば、走行軸に兼用される耕耘軸２を備えた一軸型耕耘機１の収納に用いられ、当該一軸型耕耘機１の耕耘軸部を収納する収納ケース１３であって、一軸型耕耘機１は、機体走行方向に対する後方部位に、圃場に接触して走行抵抗を発生させる抵抗棒１０を備える一方、収納ケース１３は、機体走行方向に対する前方部位に、一軸型耕耘機１の耕耘軸部を収納した状態で移動するための移動用車輪１６を備えるので、一軸型耕耘機１の耕耘軸部を収納した状態でも、移動用車輪１６を用いて容易に移動することができる。しかも、移動用車輪１６は、抵抗棒１０と反対側に設けられているので、抵抗棒１０を外さなくても、機体の抵抗棒１０側を持ち上げれば、移動用車輪１６を用いて容易に移動することが可能になる。
【００２０】
次に、本発明の第二実施形態に係る収納ケースについて、図９〜図１２を参照して説明する。
【００２１】
これらの図に示すように、第二実施形態の収納ケース１３は、左右に分割形成された一対の分割ケース１３Ｌ、１３Ｒを備え、左右外側方から耕耘軸部を覆うように一軸型耕耘機１に装着される点が前記実施形態と相違している。このような収納ケース１３によれば、第一実施形態と同様に、一軸型耕耘機１の耕耘軸部を収納する際に、一軸型耕耘機１を持ち上げる必要がなく、その結果、中型、大型クラスの一軸型耕耘機１であっても、容易に収納や取り出しを行うことができる。しかも、一軸型耕耘機１が、機体走行方向に対する後方部位に、圃場に接触して走行抵抗を発生させる抵抗棒１０を備える一方、収納ケース１３が、機体走行方向に対する前方部位に、一軸型耕耘機１の耕耘軸部を収納した状態で移動するための移動用車輪１６を備えることにより、前記第一実施形態と同様、抵抗棒１０を外さなくても、機体の抵抗棒１０側を持ち上げれば、移動用車輪１６を用いて容易に移動することが可能になる。
【符号の説明】
【００２２】
１      一軸型耕耘機
２      耕耘軸
３      ミッションケース
４      ハンドル
５      ガスエンジン
１０    抵抗棒
１３    収納ケース
１６    移動用車輪
【図１】
2010273545.tif 000003
【図２】
2010273545.tif 000004
【図３】
2010273545.tif 000005
【図４】
2010273545.tif 000006
【図５】
2010273545.tif 000007
【図６】
2010273545.tif 000008
【図７】
2010273545.tif 000009
【図８】
2010273545.tif 000010
【図９】
2010273545.tif 000011
【図１０】
2010273545.tif 000012
【図１１】
2010273545.tif 000013
【図１２】
2010273545.tif 000014